(57)【要約】【課題】使用者による位置決めリングの交換が容易で、加工作業が簡単で加工コストを減らせるベルトの提供。【解決手段】バックル本体に設けられた回動位置決め片がベルトのバンドを係止位置決めすると共に一体成型されたストッパ部で位置決めリングの後側を阻止し、部品数を増加せず且つ組合せ加工作業を簡易化し、且つ回動位置決め片開放時に位置決めリングの交換が行え、使用者が自分で簡単に交換でき、製造メーカーに対しては、位置決めリングが交換可能とされたことで、製品の多様な選択性が増加し、簡単な組合せ加工作業により人力と加工時のコストを減らす効果を達成できる。【選択図】　　　　図５
0003097438.tif 000002
【実用新案登録請求の範囲】
【請求項１】
バックル本体とされ、金属材料で一体加圧成型により形成されて両側壁を具え、該両側壁に枢接孔が設けられて回動位置決め片の両側の枢接片が枢接され、該バックル本体の後側に位置決めスロットが設けられて、バンドの前端が通され、該バックル本体の前側に底部に向けて曲げられた弯曲枢接部が一体に形成されてフレームの枢接に供され、且つ該バックル本体の前側の、弯曲枢接部の中間部分に連通する小溝が設けられ、フレームに枢接された爪の活動に便利とされた、上記バックル本体と、
回動位置決め片とされ、金属材料で形成され、噛合部と係止部が一体に加圧加工され、そのうち噛合部の両側に枢接片が設けられてバックル本体の両側の枢接孔との枢接に供され、噛合部の後側に複数の噛合歯があり、回動位置決め片が外向きに回され開かれる時、噛合部とバックル本体の底端面が形成する間隙がバンドの前端の挿入に供され、並びに該回動位置決め片がバックル本体の底端面に向けて回されて係合させられ、並びに該噛合部の噛合歯がバンドに噛み合い、且つ係止部がバンドを係止する、上記回動位置決め片と、
フレームとされ、金属材料で形成され、バンドの後部が通る適当な大きさの孔を具えた框体とされ、該フレームの後端にバンド位置決め用の爪が枢設され、該爪がバンドの後部の位置決め孔の一つに挿入される、上記フレームと、
を具えたベルトにおいて、
該バックル本体の前端の弯曲枢接部がバックル本体の底端面との間にフレームの後端を自由に伸出させる開口空間を形成し、且つこの開口空間の開口は前述の回動位置決め片より一体に折り曲げ延伸されたストッパ部のストッパ片により係止されてフレームの脱落が防止され、回動位置決め片が回されて開かれる時、そのストッパ部のストッパ片が前述のバックル本体の底端面と弯曲枢接部の形成する開口空間の開口より離脱し、フレーム交換が可能となることを特徴とする、ベルト。
【請求項２】
請求項１記載のベルトにおいて、回動位置決め片に折り曲げにより一体に形成されたストッパ部に別に溝が開設されて爪の活動に便利とされたことを特徴とする、ベルト。
【請求項３】
請求項１記載のベルトにおいて、フレームを取り出して異なる形状のフレームに交換する時、この異なる形状のフレームがバンドの後部の通過に供される孔を具え、該異なる形状のフレームの後側がバックル本体の弯曲枢接部に枢接されることを特徴とする、ベルト。
【考案の詳細な説明】
【０００１】
【考案の属する技術分野】
本考案は一種のベルト、特にベルトのバックルに係り、バックル本体に設けられた回動位置決め片がベルトのバンドを係止位置決めすると共に一体成型されたストッパ部で位置決めリングの後側を阻止しするよう形成され、部品数を増加せず且つ組合せ加工作業を簡易化し、且つ回動位置決め片開放時に位置決めリングの交換が行え、使用者が自分で簡単に交換でき、製造メーカーに対しては、位置決めリングが交換可能とされたことで、製品の多様な選択性が増加し、簡単な組合せ加工作業により人力と加工時のコストを減らす効果を達成できる、ベルトに関する。
【０００２】
【従来の技術】
図１、２は周知のベルトを示し、それは、フレーム５１、連接位置決め帯５２、位置決めリング５３、バンド５４、調整留め具５５を具え、その欠点は以下のとおりである。
１．連接位置決め帯５２を先に位置決めスリーブ５０に挿入した後、前端と後端を更に前方のフレーム５１と後方の位置決めリング５３に通し、更にそれぞれ縫合線５６、５７で縫合位置決めし、バンド５４の一端を先に位置決めリング５３に通してから調整留め具５５に通し、さらに調整留め具５５の噛合部をバンドに噛ませなければならず、これにより部品が多く、製造コストが高く、組合せに手間と時間がかかった。
２．フレーム５１は連接位置決め帯５２に縫合線５６で固定され、このため交換不能である。
【０００３】
別の周知のベルトは図３〜図５に示されるようであり、バックル本体６１、回動位置決め片６２、フレーム６３、及びバンド６４で組成されている。その構成部品は前述の従来の技術よりも少なく、且つ組合せ加工も簡単であるが、以下のような欠点がある。
１．フレーム６３の後側６３１を先にバックル本体６１の弯曲枢接部６１３内に挿入した後、さらに、弯曲枢接部を加圧曲げ加工して、その側端６１３１をバックル本体６１の底端面６１０に接近させてフレーム６３の後側６３１の離脱を防止する必要があり、フレーム６３にはベルトを位置決めする爪６３０が枢設されるため、先にバックル本体６１の弯曲枢接部６１３と位置決め装置（図示せず）で位置決めした後でなければ、加圧型で前述の加圧曲げ加工を行えず、このため加工作業が相当に面倒で手間と時間がかかる。
２．フレーム６３が加圧曲げ加工後の弯曲枢接部６１３により連接固定されるため、フレーム６３の交換不能である。
【０００４】
【考案が解決しようとする課題】
本考案は一種のベルトを提供し、それは以下の目的を達成するものとする。
１．バックル本体に枢設された回動位置決め片が一体成形されたストッパ部を具え、これによりバンドに対する係止位置決めと位置決めリング離脱防止の作用を共に有し、部品を増加せずに、フレームを交換できる機能を具え、消費者が必要により交換するのに便利である。
２．メーカーは一種類の規格のバックル本体と回動位置決め片を製造すれば異なる規格のフレームに適用でき、製品の変換性を高めて消費者に多様な選択を提供でき、且つ加工生産に対しては、バックル本体の弯曲枢接部にフレームの後側が挿入されれば回動位置決め片のストッパ部により離脱防止され、従来の製品のように、先にフレームの位置を合わせて加圧曲げ加工する必要がなく、加工プロセスを簡易化でき、組合せ作業に係る人力と時間を節約できる。
【０００５】
【課題を解決するための手段】
請求項１の考案は、バックル本体とされ、金属材料で一体加圧成型により形成されて両側壁を具え、該両側壁に枢接孔が設けられて回動位置決め片の両側の枢接片が枢接され、該バックル本体の後側に位置決めスロットが設けられて、バンドの前端が通され、該バックル本体の前側に底部に向けて曲げられた弯曲枢接部が一体に形成されてフレームの枢接に供され、且つ該バックル本体の前側の、弯曲枢接部の中間部分に連通する小溝が設けられ、フレームに枢接された爪の活動に便利とされた、上記バックル本体と、
回動位置決め片とされ、金属材料で形成され、噛合部と係止部が一体に加圧加工され、そのうち噛合部の両側に枢接片が設けられてバックル本体の両側の枢接孔との枢接に供され、噛合部の後側に複数の噛合歯があり、回動位置決め片が外向きに回され開かれる時、噛合部とバックル本体の底端面が形成する間隙がバンドの前端の挿入に供され、並びに該回動位置決め片がバックル本体の底端面に向けて回されて係合させられ、並びに該噛合部の噛合歯がバンドに噛み合い、且つ係止部がバンドを係止する、上記回動位置決め片と、
フレームとされ、金属材料で形成され、バンドの後部が通る適当な大きさの孔を具えた框体とされ、該フレームの後端にバンド位置決め用の爪が枢設され、該爪がバンドの後部の位置決め孔の一つに挿入される、上記フレームと、
を具えたベルトにおいて、
該バックル本体の前端の弯曲枢接部がバックル本体の底端面との間にフレームの後端を自由に伸出させる開口空間を形成し、且つこの開口空間の開口は前述の回動位置決め片より一体に折り曲げ延伸されたストッパ部のストッパ片により係止されてフレームの脱落が防止され、回動位置決め片が回されて開かれる時、そのストッパ部のストッパ片が前述のバックル本体の底端面と弯曲枢接部の形成する開口空間の開口より離脱し、フレーム交換が可能となることを特徴とする、ベルトとしている。
請求項２の考案は、請求項１記載のベルトにおいて、回動位置決め片に折り曲げにより一体に形成されたストッパ部に別に溝が開設されて爪の活動に便利とされたことを特徴とする、ベルトとしている。
請求項３の考案は、請求項１記載のベルトにおいて、フレームを取り出して異なる形状のフレームに交換する時、この異なる形状のフレームがバンドの後部の通過に供される孔を具え、該異なる形状のフレームの後側がバックル本体の弯曲枢接部に枢接されることを特徴とする、ベルトとしている。
【０００６】
【考案の実施の形態】
図６から図１２に示されるように、本考案のベルトは、
バックル本体１とされ、金属材料で一体加圧成型により形成され、両側壁１１を具え、該両側壁１１に枢接孔１１１が設けられて回動位置決め片２の両側の枢接片２１１が枢接され、該バックル本体１の後側に位置決めスロット１２が設けられて、編成されたバンド４の前端４２が通され、該バックル本体１の前側に底部に向けて曲げられた弯曲枢接部１３が一体に形成されてフレーム３の枢接に供され、且つ該バックル本体１の前側の、弯曲枢接部１３の中間部分に連通する小溝１３０が設けられ、フレーム３に枢接された爪１３１の活動に便利とされた、上記バックル本体１と、
回動位置決め片２とされ、金属材料で形成され、噛合部２１と係止部２２が一体に加圧加工され、そのうち噛合部２１の両側に枢接片２１１が設けられてバックル本体１の両側の枢接孔１１１との枢接に供され、噛合部２１の後側に複数の噛合歯２１２があり、回動位置決め片２が外向きに回され開かれる時、噛合部２１とバックル本体１の底端面１０が形成する間隙１０１（図１０）がバンド４の前端４２の挿入に供され、並びに該回動位置決め片２がバックル本体１の底端面１０に向けて回されて係合させられ（図９）、並びに該噛合部２１の噛合歯２１２がバンド４に噛み合い、且つ係止部２２がバンド４を係止する、上記回動位置決め片２と、
フレーム３とされ、金属材料で形成され、バンド４の後部４１が通る適当な大きさの孔３１を具えた框体とされ、該フレーム３の後端３２にバンド位置決め用の爪１３１が枢設され、該爪１３１がバンド４の後部４１の位置決め孔４１１の一つに挿入される、上記フレーム３と、
を具えている。
【０００７】
本考案は特徴は以下のとおりである。
該バックル本体１は、その前端が曲げられてなる弯曲枢接部１３がバックル本体１の底端面１０とフレーム３の後端３２を自由に伸出させる開口空間１４を形成し、且つこの開口空間１４の開口は前述の回動位置決め片２より一体に折り曲げ延伸されたストッパ部２３のストッパ片２３１により係止されてフレーム３の脱落が防止され、該ストッパ部２３が溝２３２を具えて前述の爪１３１の活動に便利とされる。この特徴により、回動位置決め片２が回されて開かれる時、そのストッパ部２３のストッパ片２３１が前述のバックル本体１の底端面１０と弯曲枢接部１３の形成する開口空間１４の開口の係止より離脱し（図１０）、使用者がフレーム３を取り出し、異なる形状で、しかし同様に孔３１’と後端３２’を具えてバックル本体１の弯曲枢接部１３の枢設に供されるフレーム３’に交換することができる（図１２）。ゆえに製造メーカーにとっては、ただ一種類の規格のバックル本体１と回動位置決め片２を生産すれば、異なる形状のフレーム３、３’に適用でき（図７、１２）、製品の変化性を増して消費者に多様な選択を提供できる。且つ加工生産時に、バックル本体１の弯曲枢接部１３に直接フレーム３の後端３２が挿入されるため、別に加圧曲げ加工を行う必要がなく、これにより加工プロセスを簡易化でき、製品の競争力を高めることができる。
【０００８】
【考案の効果】
総合すると、本考案は以下の効果を有している。
１．ベルトヘッドのバックル本体１に枢設された回動位置決め片２に一体にストッパ部２３が形成され、これによりバンド４の係止位置決めとフレーム３の離脱防止の作用を共に有し、部品を増加せずに、フレーム３を交換可能とする機能を有し、使用者が必要によりフレームを交換することができる。
２．製造メーカーは一種類の規格のバックル本体１と回動位置決め片２を生産すれば、異なる形状のフレーム３、３’に適用でき、製品の変換性を増して消費者に多様な選択を提供でき、且つ加工生産時に、バックル本体１の弯曲枢接部１３に直接フレーム３の後端３２が挿入されれば回動位置決め片２のストッパ部２３の係止により離脱が防止され、従来の製品のように、別に加圧曲げ加工を行う必要がなく、これにより加工プロセスを簡易化でき、組立の人力と時間を節約できる。
３．溝３１を具えた異なる形状のフレーム３、３’を生産すればバックル本体１と回動位置決め片２に適用でき、これにより製造組立に便利であり、また、部品の保存と管理作業を簡易化できる。
４．部品が少なく加工が快速便利であり、このため人力を大幅に節約して製造コストを減らして製品の競争力を高めることができる。
【図面の簡単な説明】
【図１】周知の技術の斜視図である。
【図２】周知の技術の別角度から見た斜視図である。
【図３】周知の別の技術の斜視図である。
【図４】周知の別の技術の別角度から見た斜視図である。
【図５】周知の別の技術の分解斜視図である。
【図６】本考案の分解斜視図である。
【図７】本考案の斜視図である。
【図８】本考案の別角度の部分斜視図である。
【図９】本考案の側面断面図である（爪を含まず。）。
【図１０】本考案の回動位置決め片を上向きに回した後の断面図である（爪を含まず。）。
【図１１】本考案のバンド、バンド後端位置決め後の斜視図である。
【図１２】本考案の別の形状のフレームに交換後の部分斜視図である。
【符号の説明】
１　バックル本体
１０１　間隙
１１　両側壁
１１１　枢接孔
１２　位置決めスロット
１３　弯曲枢接部
１４　開口空間
１３０　小溝
１３１　爪
２　回動位置決め片
２１　噛合部
２１１　枢接片
２１２　噛合歯
２２　係止部
２３　ストッパ部
２３１　ストッパ片
３、３’　フレーム
３１、３１’　孔
３２、３２’　後端
４　バンド
４１　後部
４１１　位置決め孔
４２　前端
【図１】
0003097438.tif 000003
【図２】
0003097438.tif 000004
【図３】
0003097438.tif 000005
【図４】
0003097438.tif 000006
【図５】
0003097438.tif 000007
【図６】
0003097438.tif 000008
【図７】
0003097438.tif 000009
【図８】
0003097438.tif 000010
【図９】
0003097438.tif 000011
【図１０】
0003097438.tif 000012
【図１１】
0003097438.tif 000013
【図１２】
0003097438.tif 000014